(57)【要約】【課題】十分な回転剛性を有し、且つ、形状保持性に優れるビードコアを提供する。また、ビード部の耐久性が高い空気入りタイヤを提供する。【解決手段】タイヤ用のビードコアであって、互いに接触するように並列に配置した複数本のビードワイヤを巻き回して形成した環状体よりなり、ビードワイヤの断面形状が、六角形状であり、互いに隣接するビードワイヤ間で、六角形状の６つの頂点のうち２つが互いに接触するビードコアである。また、そのビードコアを用いた空気入りタイヤである。【選択図】図１
2013129407.tif 000002
【特許請求の範囲】
【請求項１】
タイヤ用のビードコアであって、
互いに接触するように並列に配置した複数本のビードワイヤを巻き回して形成した環状体よりなり、
前記ビードワイヤの断面形状が、六角形状であり、
互いに隣接するビードワイヤ間で、前記六角形状の６つの頂点のうち２つが互いに接触することを特徴とする、ビードコア。
【請求項２】
前記環状体は、幅方向断面形状が略平行四辺形状であることを特徴とする、請求項１に記載のビードコア。
【請求項３】
前記六角形状の各辺が、前記環状体の中心軸線と平行な方向および前記環状体の径方向の双方に対して傾斜していることを特徴とする、請求項１または２に記載のビードコア。
【請求項４】
請求項１〜３の何れかに記載のビードコアを用いたことを特徴とする、空気入りタイヤ。
【発明の詳細な説明】
【技術分野】
【０００１】
本発明は、タイヤ用のビードコアおよびそのビードコアを用いた空気入りタイヤに関し、特には、断面六角形のビードワイヤを用いて形成したビードコア、および、そのビードコアを用いた空気入りタイヤに関するものである。
【背景技術】
【０００２】
一般に、タイヤとリムとの嵌合性を向上させる観点から、空気入りタイヤのビード部には、ビードコアが埋設されている。そして、ビード部に埋設されたビードコアは、トレッド部から一対のサイドウォール部を介して一対のビード部に亘ってトロイド状に延びるカーカスを係止する係止部材としても機能する。
【０００３】
ここで、従来、ビードコアとしては、ゴム被覆した断面円形のスチールワイヤ（鋼線）を巻き回して形成した環状体が用いられている。
しかし、断面円形のスチールワイヤをゴム被覆した後に巻き回してなるビードコアでは、ビードコア全体としての回転剛性が十分ではなく、例えば図６に示すように、タイヤの内圧充填時等にタイヤ径方向外方に向かう引っ張り力Ｆが負荷されると、ビードコア６Ａ全体が大きく回転変形してしまうという問題がある。即ち、ゴム被覆したスチールワイヤ６１Ａを巻き回してなるビードコア６Ａを用いたタイヤでは、内圧充填時等にビードコア６Ａ全体が大きく回転変形し、その結果、ビードコア６Ａの周りで折り返されてビードコア６Ａに係止されているカーカス４の引き抜けや、カーカス４の端部（折返し端）での応力（引張応力）の発生による故障が生じることがある。
【０００４】
そこで、例えば特許文献１では、断面四角形のビードワイヤをタイヤ幅方向およびタイヤ径方向の双方に互いに接触するように巻き回してビードコアを形成することにより、互いに隣接するビードワイヤ同士の接触面積を大きくしてビードコア全体としての回転剛性を高めることが提案されている。
【０００５】
また、例えば特許文献２には、ゴム被覆された断面正六角形のビードワイヤを巻き回して形成したビードコアを備える空気入りタイヤであって、巻き回されたビードワイヤがタイヤ赤道面に対して平行な一対の面（タイヤ幅方向断面では辺（線）になる）を有するように配列されている空気入りタイヤが開示されている。そして、この特許文献２に記載の空気入りタイヤでは、１本のビードワイヤを、タイヤ赤道面に対して平行な一対の面を有するように配列して巻き回すことにより、ビードワイヤ間に位置するゴムの変形を制限してビードコアの形状が崩れるのを抑制し、ビード部の耐久性を確保している。
【先行技術文献】
【特許文献】
【０００６】
【特許文献１】特開昭４９−１１９３０１号公報
【特許文献２】特開平５−３３０３２１号公報
【発明の概要】
【発明が解決しようとする課題】
【０００７】
しかし、断面四角形のビードワイヤを巻き回してなる上記従来のビードコアでは、ビードコアにタイヤ径方向外側へ向かう外力が負荷された際に、図７に示すようにビードコア６Ｂ内でビードワイヤ６１Ｂ同士の位置がずれ、ビードコア６Ｂの形状が崩れることがあった。また、同様に、ビードコアにタイヤ幅方向外側へ向かう外力が負荷された場合にも、図８に示すようにビードコア６Ｂ内でビードワイヤ６１Ｂ同士の位置がずれ、ビードコア６Ｂの形状が崩れることがあった。即ち、上記従来のビードコアを用いたタイヤには、図７〜８に示すようにビードコアの形状が崩れると、ビードコア全体としての回転剛性が低下してしまい、その結果、ビード部の耐久性が低下してしまうという問題があった。
【０００８】
一方、断面正六角形の１本のビードワイヤをゴム被覆した後に巻き回してなる上記従来のビードコアでは、ビードコアの形状が崩れるのを抑制することはできるものの、ビードワイヤ間にゴムを介在させているため、ビードコア全体として十分な回転剛性が得られないという問題があった。また、上記従来のビードコアには、断面正六角形の１本のビードワイヤを巻き回してビードコアを形成しているので、ビードワイヤの位置をタイヤ幅方向およびタイヤ径方向に変化させながら（レーンチェンジしながら）巻き回していく過程でビードワイヤ間に隙間が生じてしまい（即ち、ビードコアの全周に亘ってビードワイヤを密に巻き回すことができず）、ビードコア全体としての回転剛性が低下してしまうという問題もあった。
【０００９】
そこで、本発明は、十分な回転剛性を有し、且つ、形状保持性に優れるビードコアを提供することを目的とする。また、本発明は、そのビードコアを用いることにより、ビード部の耐久性が高い空気入りタイヤを提供することを目的とする。
【課題を解決するための手段】
【００１０】
この発明は、上記課題を有利に解決することを目的とするものであり、本発明のビードコアは、タイヤ用のビードコアであって、互いに接触するように並列に配置した複数本のビードワイヤを巻き回して形成した環状体よりなり、前記ビードワイヤの断面形状が、六角形状であり、互いに隣接するビードワイヤ間で、前記六角形状の６つの頂点のうち２つが互いに接触することを特徴とする。このように、互いに接触するように並列に配置した複数本のビードワイヤを巻き回してビードコア（環状体）を形成すれば、ビードコア全体として十分な回転剛性を得ることができる。また、断面六角形状のビードワイヤを用い、且つ、互いに隣接するビードワイヤ間で六角形状断面の６つの頂点のうち２つが互いに接触するようにビードワイヤを配列すれば、ビードコア全体としての回転剛性を高めつつ、外力に対するビードコアの形状保持性を高めることができる。
【００１１】
ここで、本発明のビードコアにおいて、前記環状体は、幅方向断面形状が略平行四辺形状であることが好ましい。環状体の幅方向断面形状を略平行四辺形状とすれば、該環状体からなるビードコアをタイヤのビード部に埋設した際に、ビードコアのタイヤ幅方向外側のスペースを削減してタイヤの重量を低減することができるからである。
なお、本発明において、「環状体の幅方向断面」とは、環状体の軸線方向に沿う断面を指す。また、本発明において、「環状体の幅方向断面形状が略平行四辺形状である」とは、環状体の幅方向断面視において、環状体の表面側に位置するビードワイヤ列を構成するビードワイヤの断面中心を結んでなる線が、平行四辺形をなすことを指す。
【００１２】
そして、本発明のビードコアは、前記六角形状の各辺が、前記環状体の中心軸線と平行な方向および前記環状体の径方向の双方に対して傾斜していることが好ましい。ビードワイヤの六角形状断面の各辺を、環状体の中心軸線と平行な方向および環状体の径方向の双方に対して傾斜させれば、外力に対するビードコアの形状保持性を更に高めることができるからである。
なお、本発明において、「各辺が環状体の中心軸線と平行な方向に対して傾斜する」とは、各辺と、中心軸線と平行な方向に延びる仮想線とのなす角度が０°超９０°未満であることを指す。また、本発明において、「各辺が環状体の径方向に対して傾斜する」とは、各辺と、径方向に延びる仮想線とのなす角度が０°超９０°未満であることを指す。
【００１３】
また、この発明は、上記課題を有利に解決することを目的とするものであり、本発明の空気入りタイヤは、上記ビードコアの何れかを用いたことを特徴とする。このように、上述したビードコアを用いれば、ビード部の耐久性が高い空気入りタイヤを提供することができる。
【発明の効果】
【００１４】
本発明によれば、十分な回転剛性を有し、且つ、形状保持性に優れるビードコアを提供することができる。また、本発明によれば、ビード部の耐久性が高い空気入りタイヤを提供することができる。
【図面の簡単な説明】
【００１５】
【図１】本発明に従う代表的な空気入りタイヤのタイヤ幅方向断面図である。
【図２】図１に示す空気入りタイヤのビード部のタイヤ幅方向断面を拡大して示す図である。
【図３】本発明に従う代表的なビードコアの側面図である。
【図４】図３に示すビードコアのＩ−Ｉ線に沿う断面を示す図である。
【図５】（ａ）は、本発明に従う他のビードコアにおけるビードワイヤの配列状態を説明する図であり、（ｂ）は、断面五角形のビードワイヤを用いたビードコアにおけるビードワイヤの配列状態を説明する図である。
【図６】断面円形のスチールワイヤを巻き回してなる従来のビードコアを有する空気入りタイヤについて、内圧充填時のビードコアの回転変形を説明する図である。
【図７】断面四角形のビードワイヤを巻き回してなる従来のビードコアを有する空気入りタイヤについて、タイヤ径方向外側に向かう外力がビードコアに負荷された際のビードコアの形状の崩れを説明する図である。
【図８】断面四角形のビードワイヤを巻き回してなる従来のビードコアを有する空気入りタイヤについて、タイヤ幅方向外側に向かう外力がビードコアに負荷された際のビードコアの形状の崩れを説明する図である。
【発明を実施するための形態】
【００１６】
以下、図面を参照して本発明の実施の形態を説明する。本発明の空気入りタイヤは、本発明のビードコアを用いたことを特徴とする。そして、本発明のビードコアは、断面形状が六角形のビードワイヤを所定の配列状態となるように巻き回して形成したことを特徴とする。
【００１７】
＜空気入りタイヤ＞
ここで、図１に、本発明に従う空気入りタイヤの一例について、適用リムＲに装着し、ＪＡＴＭＡ等に規定の所定内圧（最高空気圧）を適用した無負荷状態におけるタイヤ幅方向断面を示す。
【００１８】
図１に示す空気入りタイヤ１０は、トレッド部１と、トレッド部１の側部からタイヤ径方向内方に延びる一対のサイドウォール部２と、各サイドウォール部２のタイヤ径方向内方に連なるビード部３とを備えている。
また、空気入りタイヤ１０は、一対のビード部３間に延在する１プライからなるラジアルカーカス４を備えている。ここで、ラジアルカーカス４は、トレッド部１から一対のサイドウォール部２を介して一対のビード部３にわたってトロイド状に延び、ビード部３内に埋設された断面略平行四辺形状のビードコア６の周りでタイヤ幅方向内側からタイヤ幅方向外側に向かって折り返されてなる。なお、ビード部３のビードコア６のタイヤ径方向外側には、ビードフィラー７が配設されている。
更に、トレッド部１のラジアルカーカス４のタイヤ径方向外側（クラウン部外周側）には、２層のベルト層５１，５２よりなるベルト５が設置されている。そして、ベルト５のタイヤ径方向外側には、トレッドゴム８が配置されており、該トレッドゴム８の表層部（トレッド部踏面側）には、タイヤ周方向に延びる複数本（図１では３本）の主溝９が、タイヤ赤道Ｃを中心として線対称となるように形成されている。
【００１９】
そして、図１に示す空気入りタイヤ１０は、以下に詳細に説明する環状のビードコア６をビード部３に埋設したことを特徴とする。
なお、図２にビード部３の断面を拡大して示すように、断面が略平行四辺形状のビードコア６は、特に限定されることなく、タイヤ幅方向に対して所定の角度θ1で傾斜している。因みに、角度θ1は、適用リムＲのビードシートと、ビードコア６の内周面（ビードコア６を構成するビードワイヤ６１のタイヤ径方向最内側を通る仮想面）とが略並行になる大きさ（例えば、１５°以下）とすることができる。
【００２０】
＜ビードコア＞
ここで、本発明に従うビードコアの一例について、図３に模式的な側面図を示し、図４に図３のＩ−Ｉ線に沿う断面（幅方向断面）を示す。図３〜４に示すビードコア６は、互いに接触するように並列に配置した複数本（図４では６本）のビードワイヤ６１を巻き回して形成した環状体よりなり、空気入りタイヤのビードコアとして用いられる。そして、ビードコア６は、ビードワイヤ６１として、ワイヤ中心軸線に直交する断面の形状が六角形状（図４では正六角形状）のビードワイヤを用い、且つ、該ビードワイヤ６１を、所定の配列状態となるように巻き回して形成した環状体よりなることを特徴とする。
なお、ビードワイヤとしては、特に限定されることなく、ダイス等の既知の手段を用いて断面形状が六角形状になるように成形したスチールワイヤを用いることができる。
【００２１】
より具体的には、ビードコア６は、図３〜４に示すように、互いに直接接触するように一方向（図４では左右方向）に並列配置した複数本（図４では６本）のビードワイヤ６１を６回巻き回し、一方向に並列配置した６本のビードワイヤを該一方向と直交する方向（図４では上方向）に積層して形成された環状体よりなる。そして、環状体よりなるビードコア６では、図４に示すように、互いに隣接するビードワイヤ６１，６１の間で、六角形状断面の６つの頂点のうちの２つの頂点６４，６４が互いに接触している。即ち、ビードコア６では、任意のビードワイヤ６１の断面（六角形状）の６つの頂点のうち２つの頂点６４，６４が、該ビードワイヤ６１に隣接するビードワイヤ６１の断面（六角形状）の６つの頂点のうち２つの頂点６４，６４と一対一で接触している。そして、その結果、互いに隣接するビードワイヤ６１同士は、ビードコア６の幅方向断面視において、六角形状断面の一辺６５（頂点６４，６４間に位置する辺６５）に亘って接触する。また、ビードコア６の幅方向断面の構造は、六角形が密に配列されたハニカム構造となる。
【００２２】
また、図４に示すように、ビードコア６は、幅方向断面形状が略平行四辺形状をしている。即ち、ビードコア６の幅方向断面視において、環状体よりなるビードコア６の表面（外周面、内周面および両側面）を形成するビードワイヤ６１の断面中心を結んでなる線（図４に一点鎖線で示す）は、平行四辺形をなしている。
【００２３】
更に、図４に示すように、ビードコア６では、ビードコア６を構成する各ビードワイヤ６１の六角形状断面の各辺が、ビードコア６（環状体）の中心軸線と平行な方向およびビードコア６の径方向の双方に対して所定の角度φ（但し、０°＜φ＜９０°）で傾斜している。
【００２４】
なお、図３〜４に示すビードコア６では、ビードワイヤ６１はゴム等で被覆されることなく（即ち、ゴムを間に介在させることなく）、巻き回されている。また、図３に示すように、ビードワイヤ６１の巻き始め端６２と、巻き終わり端６３とは、互いに異なる周方向位置に位置している。そして、ビードコア６の中心軸線と巻き始め端６２とを通る仮想面と、ビードコア６の中心軸線と巻き終わり端６３とを通る仮想面とは、角度θ2で交差している。因みに、巻き始め端６２と巻き終わり端６３とが周方向に近接して位置することによる応力の集中を抑制しつつビードコア６の周方向の均一性を確保する観点からは、角度θ2は、６０〜９０°であることが好ましい。
【００２５】
ここで、上述したビードコア６（環状体）の形成は、特に限定されることなく、ドラムの外周にビードワイヤ６１を巻き付けることにより行うことができる。因みに、図２に示すようにビードコア６をタイヤ幅方向に対して所定の角度θ1で傾斜させてビード部３に埋設する場合には、予め所定のくせ付けを行ったビードワイヤ６１をドラムの外周に巻き付けることによりビードコア６を形成することができる。
【００２６】
そして、上記ビードコア６によれば、十分な回転剛性および形状保持性を確保することができる。
即ち、ビードコア６は、互いに接触するように並列に配置した複数本のビードワイヤを巻き回して形成した環状体よりなるので、ゴム被覆したビードワイヤを用いた場合と比較して、直接接触し合うビードワイヤ６１間の引っ掛かり効果が大きくなる。従って、ビードコア６は、ビード部３に埋設された際のビードコア全体としての回転剛性が十分に大きくなる。
また、ビードコア６を構成する環状体は、複数本のビードワイヤ６１を並列配置した状態で巻き回して形成されているので、環状体の全周に亘ってビードワイ６１を密に巻き回すことができる。従って、ビードコア６では、１本のビードワイヤをレーンチェンジしながら巻き回して環状体を形成した場合と比較し、ビードワイヤ６１間に隙間が生じるのを抑制して、ビードコア全体としての回転剛性が低下するのを抑制することができる。
更に、ビードコア６では、断面六角形状のビードワイヤ６１を用い、且つ、互いに隣接するビードワイヤ６１間で六角形状断面の６つの頂点のうち２つが互いに接触するようにビードワイヤ６１を配列しているので、外力が負荷された場合であっても形状が崩れ難い。より具体的には、ビードコア６は、隣接するビードワイヤ６１間で六角形状断面の２つの頂点６４，６４同士が接触し、その結果、互いに隣接するビードワイヤ６１同士が頂点６４，６４間に位置する辺６５に亘って接触するので、外力が作用した場合であってもビードワイヤ６１同士が係合し、ビードコア６の形状が大きく崩れることがない。従って、ビードコア全体としての回転剛性を高めつつ、外力に対するビードコアの形状保持性を高めることができる。
なお、ビードワイヤ同士を係合させるという観点からは、図５（ｂ）に示すように、互いに接触するように並列配置した断面五角形のビードワイヤ６１ｃを、互いに隣接するビードワイヤ６１ｃ間で五角形状断面の５つの頂点のうち２つが互いに接触するように巻き回してビードコアを形成することも考えられる。しかし、断面五角形状のビードワイヤ６１ｃを図５（ｂ）に示すように配列した場合、隣接するビードワイヤ６１ｃ間に一方向に延びる界面６５ｃが生じ、ビードコアに外力ｆが負荷された際に該界面６５ｃに沿ってビードワイヤの列がずれる（即ち、ビードコアが大きく変形する）虞がある。そのため、本発明のビードコアでは、断面六角形状のビードワイヤを用いる。
【００２７】
更に、上記ビードコア６は、幅方向断面形状が略平行四辺形状となるようにビードワイヤ６１を配列しているので、図２に示すように、該ビードコア６をタイヤのビード部３に埋設した際に、ビードコア６のタイヤ幅方向外側のスペース（図２中、破線で囲んだ部分）を削減することができる。従って、ビードコア６のタイヤ幅方向外側のスペースを削減すると共に、ビードコア６のタイヤ径方向外側に位置するビードフィラー７を狭幅化して、タイヤの重量を低減することができる。
【００２８】
また、ビードコア６では、各ビードワイヤ６１の六角形状断面の各辺が、ビードコア６の中心軸線と平行な方向およびビードコア６の径方向の双方に対して傾斜しているので、様々な方向の外力に対するビードコアの形状保持性を更に高めることができる。なお、例えば図５（ａ）に示すように、ビードワイヤ６１の六角形状断面の各辺のうち２つの辺がビードコアの中心軸線と平行な方向に延在するようにビードワイヤ６１を配列したビードコアでは、該ビードコアを埋設したタイヤにおいてビードコアがタイヤ径方向外方に向かう外力ｆを受けた際にビードコアを構成するビードワイヤ６１の位置がタイヤ径方向にずれ易く、径方向に対するビードコアの形状保持性が低下し易い。因みに、ビードワイヤ６１の六角形状断面の各辺のうち２つの辺がビードコアの径方向に延在するようにビードワイヤ６１を配列したビードコアでは（図示せず）、同様にして、タイヤ幅方向外方に向かう外力ｆを受けた際にビードコアを構成するビードワイヤ６１の位置がタイヤ幅方向にずれ易くなり、幅方向に対するビードコアの形状保持性が低下する。
【００２９】
なお、このビードコア６は、上述したように十分な回転剛性および形状保持性を有しているので、ビードワイヤの巻回数を低減してビードコア６の厚みおよび重量を減少させても、十分な回転剛性および形状保持性を確保することができる。
【００３０】
ここで、本発明のビードコアの形成に用いるビードワイヤの断面形状は、扁平六角形状などの任意の六角形状とすることができるが、正六角形状であることが好ましい。断面形状が正六角形状のビードワイヤを用いれば、ビードコア製造時にビードワイヤの配列方向を矯正し易く、ビードコアを容易に製造することができるからである。
【００３１】
以上、図面を参照して本発明の実施形態を説明したが、本発明のビードコアおよび空気入りタイヤは上述した例に限定されることは無く、本発明のビードコアおよび空気入りタイヤには適宜変更を加えることができる。
【実施例】
【００３２】
以下、実施例により本発明を更に詳細に説明するが、本発明は下記の実施例に何ら限定されるものではない。
【００３３】
（実施例１〜２）
断面六角形状のスチールワイヤ（六角形状の各辺の長さ：１ｍｍ、破断強度：５０００Ｎ、破断伸度：７．５％）を用いて、表１に示す諸元で、図３〜４に示すような構成を有するビードコアを作製した。次に、作製したビードコアを用いて、図１に示すような断面形状を有する、サイズが２７５／８０Ｒ２２．５の空気入りタイヤを常法に従い製造した。
そして、作製したタイヤについて、タイヤ重量、ビード部の耐久性およびビードコアの回転剛性を下記の方法で評価した。結果を表１に示す。
【００３４】
（従来例１）
表１に示す諸元で、図６に示すような構成を有するビードコアを作製した。なお、スチールワイヤとしては、直径１．８３ｍｍのワイヤを用いた。次に、作製したビードコアを用いて、ビードコア以外は実施例１のタイヤと同様の断面形状を有する、サイズが２７５／８０Ｒ２２．５の空気入りタイヤを常法に従い製造した。
そして、作製したタイヤについて、タイヤ重量、ビード部の耐久性およびビードコアの回転剛性を実施例１〜２と同様の方法で評価した。結果を表１に示す。
【００３５】
＜タイヤ重量＞
作製したタイヤの質量を測定した。そして、従来例１の質量を１００として指数評価した。表中、数値が小さいほど軽いことを示す。
＜ビード部耐久性＞
作製したタイヤを適用リムに装着し、内圧が９００ｋＰａ（相対圧）となるように内部に空気を充填した後、ドラム試験機を用いてビード部が故障するまでの走行距離を測定した。なお、測定条件は、室温：４５℃、荷重：正規荷重の１８０％（５７ｋＮ）、速度：６０ｋｍ／ｈとした。そして、従来例１の走行距離を１００として指数評価した。表中、数値が大きいほどビード部が故障するまでの走行距離が長くてビード部耐久性が高い（即ち、ビードコアの回転剛性や形状保持性が高い）ことを示す。
＜回転剛性＞
作製したタイヤを適用リムに装着し、内部に空気を充填する前と、内圧が９００ｋＰａ（相対圧）となるように内部に空気を充填した後とのそれぞれについて、タイヤ幅方向断面におけるビードコアの形状をＣＴスキャン装置で撮影した。そして、ＣＴスキャン画像から、空気を充填する前後のビードコアの相対的な回転変化を計測し、従来例１の回転変化を１００として指数評価した。表中、指数が大きいほど回転変化が小さく、回転剛性が高いことを示す。
【００３６】
【表１】
2013129407.tif 000003
【００３７】
表１より、実施例１のタイヤは、十分な回転剛性を有し、且つ、形状保持性に優れて高いビード部耐久性を有することが分かる。また、実施例２のタイヤは、十分なビード部耐久性および回転剛性を有し、且つ、軽量であることが分かる。
【産業上の利用可能性】
【００３８】
本発明によれば、十分な回転剛性を有し、且つ、形状保持性に優れるビードコアを提供することができる。また、本発明によれば、ビード部の耐久性が高い空気入りタイヤを提供することができる。
【符号の説明】
【００３９】
１  トレッド部
２  サイドウォール部
３  ビード部
４  ラジアルカーカス
５  ベルト
６  ビードコア
６Ａ  ビードコア
６Ｂ  ビードコア
７  ビードフィラー
８  トレッドゴム
９  主溝
１０  空気入りタイヤ
５１，５２  ベルト層
６１  ビードワイヤ
６１Ａ  スチールワイヤ
６１Ｂ  ビードワイヤ
６１ｃ  ビードワイヤ
６２  巻き始め端
６３  巻き終わり端
６４  頂点
６５  辺
６５ｃ  界面
Ｒ  適用リム
【図１】
2013129407.tif 000004
【図２】
2013129407.tif 000005
【図３】
2013129407.tif 000006
【図４】
2013129407.tif 000007
【図５】
2013129407.tif 000008
【図６】
2013129407.tif 000009
【図７】
2013129407.tif 000010
【図８】
2013129407.tif 000011